(57)【要約】      （修正有）【課題】高い強度を有して輸送の困難さが軽減され、止水層からの水漏れが防止され、且つ使用寿命の長いＰＵ珪藻土ゴム吸水ソフトマットを提供する。【解決手段】上から下へ順に設けられる透水層３と、吸着層１と、ゴム防滑層２と、を備えるポリウレタン珪藻土ゴム吸水ソフトマット。吸着層はＰＵ骨格板１１と、止水層１２と、珪藻土吸水層１３と、を備える。ＰＵ骨格板の上部にはシンク状空洞部が開口し、シンク状空洞部の底面上には、横方向に順次分布する複数のＶ字型突条１１２が外側に向けて形成され、止水層はシンク状空洞部の底部に充填されるとともに複数のＶ字型突条の外側を覆い、止水層の上端部はＶ字型突条の上端部より高くＰＵ骨格板の上端部より低い位置に配置される。珪藻土吸水層は、シンク状空洞部の上部開口の内部に充填されて止水層の上方に設けられ、珪藻土吸水層の上端部がＰＵ骨格板の上端部と面一に配置される。【選択図】図１
0003234007.tif 000002
【実用新案登録請求の範囲】
【請求項１】
上から下へ順に設けられる透水層と、吸着層と、ゴム防滑層と、を備えるＰＵ（ポリウレタン）珪藻土ゴム吸水ソフトマットであって、
前記吸着層はＰＵ（ポリウレタン）骨格板と、止水層と、珪藻土吸水層と、を備え、
前記ＰＵ骨格板の上部にはシンク状空洞部が開口し、前記シンク状空洞部の底面上には、横方向に順次分布する複数のＶ字型突条が外側に向けて形成され、
前記止水層は前記シンク状空洞部の底部に充填されるとともに前記複数のＶ字型突条の外側を覆い、前記止水層の上端部は前記複数のＶ字型突条の上端部より高く前記ＰＵ骨格板の上端部より低い位置に配置され、
前記珪藻土吸水層は、前記シンク状空洞部の上部開口の内部に充填されて前記止水層の上方に設けられ、前記珪藻土吸水層の上端部は前記ＰＵ骨格板の上端部と面一に配置される
ことを特徴とするＰＵ珪藻土ゴム吸水ソフトマット。
【請求項２】
前記透水層が、前記珪藻土吸水層および前記ＰＵ骨格板の上部に固定されることを特徴とする請求項１に記載のＰＵ珪藻土ゴム吸水ソフトマット。
【請求項３】
前記ゴム防滑層が、前記ＰＵ骨格板の底部に固定されることを特徴とする請求項１または請求項２に記載のＰＵ珪藻土ゴム吸水ソフトマット。
【請求項４】
前記複数のＶ字型突条の各々の上部には、１または複数の開口溝が開口していることを特徴とする請求項１乃至請求項３のいずれかに記載のＰＵ珪藻土ゴム吸水ソフトマット。
【請求項５】
前記ゴム防滑層の底部には、横方向に順次分布する複数の鋸歯状溝が開口していることを特徴とする請求項１乃至請求項４のいずれかに記載のＰＵ珪藻土ゴム吸水ソフトマット。
【考案の詳細な説明】
【技術分野】
【０００１】
本考案はＰＵ（ポリウレタン）珪藻土ゴム吸水ソフトマットに関する。
【背景技術】
【０００２】
珪藻土は細孔サイズがマイクロメートル級の多孔質材料であり、極めて強い物理吸着性能とイオン交換性能を備え、近年、環境配慮型塗料に広く用いられている。技術の進展に伴い、珪藻土の強い吸湿性能が利用されるなかで、市場には珪藻土を主要材料とする吸水ソフトマットが登場しており、入浴後、珪藻土吸水ソフトマットを足で踏むだけで、足底の水分が速乾し、タオルで拭く必要がなくなり、生活の利便性を大きく向上させている。
【０００３】
従来の珪藻土吸水ソフトマットは、多層材料を直接圧接し接着して作製されるが、珪藻土には弾性がないため、圧迫されたり曲げられたりすると破損しやすく、移動や輸送の難度が高い。また止水層の吸水が多くなると、外に滲み出てしまうため底面が汚れやすく、正常な使用に影響をきたす。さらにゴム層と止水層は無機物と有機物に属し、接着後の結合度が弱いため、剥離しやすく、使用寿命が短いことから、早急な解決が望まれていた。
【考案の概要】
【考案が解決しようとする課題】
【０００４】
上記従来技術の現状に対し、本考案で解決しようとする技術課題は、高い強度を有して移動と輸送の困難さが軽減され、止水層からの水漏れが防止されて正常な使用が保証され、同時に、ゴム防滑層の接着固定後の結合度が高く使用寿命の長いＰＵ珪藻土ゴム吸水ソフトマットを提供することである。
【課題を解決するための手段】
【０００５】
本考案で上記技術課題を解決するために用いる技術手段は次のとおりである。上から下へ順に設けられる透水層と、吸着層と、ゴム防滑層と、を備えるＰＵ（ポリウレタン）珪藻土ゴム吸水ソフトマットにおいて、前記吸着層はＰＵ（ポリウレタン）骨格板と、止水層と、珪藻土吸水層と、を備え、前記ＰＵ骨格板の上部にはシンク状空洞部が開口し、前記シンク状空洞部の底面上には横方向に順次分布する複数のＶ字型突条が外側に向けて形成され、前記止水層は前記シンク状空洞部の底部に充填されるとともに前記複数のＶ字型突条の外側を覆い、前記止水層の上端部は前記複数のＶ字型突条の上端部より高く前記ＰＵ骨格板の上端部より低い位置に配置され、前記珪藻土吸水層は、前記シンク状空洞部の上部開口の内部に充填されて前記止水層の上方に設けられ、前記珪藻土吸水層の上端部は前記ＰＵ骨格板の上端部と面一に配置されることを特徴とする。
【０００６】
好適には、前記透水層が、前記珪藻土吸水層および前記ＰＵ骨格板の上部に固定される。
【０００７】
好適には、前記ゴム防滑層が、前記ＰＵ骨格板の底部に固定される。
【０００８】
好適には、前記複数のＶ字型突条の各々の上部に、１または複数の開口溝が開口している。
【０００９】
好適には、前記ゴム防滑層の底部に、横方向に順次分布する複数の鋸歯状溝が開口している。
【考案の効果】
【００１０】
従来技術に比べ、本考案の利点は次のとおりである。本考案に係るＰＵ珪藻土ゴム吸水ソフトマットでは、珪藻土吸水層が、ＰＵ骨格板により強度を高められ、圧迫されたり曲げられたりした際にも破損しにくくなり、移動と輸送の困難さが軽減される。またＰＵ骨格板が、止水層の水が外に漏れるのを防止するため、底面が汚れることが効果的に防止されて正常な使用を保証される。さらに、ＰＵ骨格板も有機物に属するため、ゴム防滑層との接着固定後の結合度が大幅に向上し、互いに剥離しにくくなることで、使用寿命が延長される。
【図面の簡単な説明】
【００１１】
【図１】本考案の断面構造図である。
【図２】本考案のＰＵ骨格板の構造図である。
【考案を実施するための形態】
【００１２】
本考案で使用する技術用語または科学用語は、別に定義する場合を除き、本考案の属する技術分野における通常の知識を有する者が理解する一般的な意味とされるべきである。本考案で使用する「第１」、「第２」および類似の語句は、何らかの順序、数量、あるいは重要性を表すものではなく、異なる部材を区別するためだけに用いられる。「備える」または「含む」、および類似の語句は、その語の前に出現した部材または物質が、その語の後に出現し列挙された部材または物質およびその同等物を包括することを意味するが、他の部材または物質を排除するものではない。「接続」または「繋がる」、および類似の語句は、物理的または機械的な接続に限定されるものではなく、直接であるか間接であるかを問わず、電気的接続を含むことができる。「上」、「下」、「左」、「右」等は、相対的な位置関係を表すためのものに過ぎず、記載された対象の絶対位置が変化すれば、その相対的な位置関係も相応に変化することもある。
【００１３】
本考案の実施形態に係る下記説明を明瞭かつ簡潔に保つため、本考案では公知の機能および公知の部材について詳細な説明は省略している。
【００１４】
図１〜２に示すように、ＰＵ珪藻土ゴム吸水ソフトマット（以下、「吸水ソフトマット」ということがある）は、上から下へ順に設けられる透水層３と、吸着層１と、ゴム防滑層２と、を備え、吸着層１は、ＰＵ（ポリウレタン）材料からなるＰＵ骨格板１１と、止水層１２と、珪藻土吸水層１３と、を備え、ＰＵ骨格板１１の上部にはシンク状空洞部１１１が開口し、シンク状空洞部１１１の底面上には、横方向に順次分布する複数のＶ字型突条１１２が外側に向けて形成され、止水層１２はシンク状空洞部１１１の底部に充填されるとともに複数のＶ字型突条１１２の外側を覆い、止水層１２の上端部は複数のＶ字型突条１１２の上端部より高くＰＵ骨格板１１の上端部より低い位置に配置され、珪藻土吸水層１３は、シンク状空洞部１１１の上部開口の内部に充填されて止水層１２の上方に設けられる。珪藻土吸水層１３の上端部はＰＵ骨格板１１の上端部と面一であり、透水層３は、珪藻土吸水層１３およびＰＵ骨格板１１の上部に固定され、ゴム防滑層２は、ＰＵ骨格板１１の底部に固定される。
【００１５】
Ｖ字型突条１１２の各々の上部には、１または複数の開口溝１１３が開口している。
【００１６】
ゴム防滑層２の底部には、横方向に順次分布する複数の鋸歯状溝２１が開口し、ゴム防滑層２の底部と床面との摩擦力を増大させる。
【００１７】
透水層３は繊維布で作製され、止水層１２には竹繊維材料が用いられる。
【００１８】
使用する際は、吸水ソフトマットを床面に平らに置き、入浴後、吸水ソフトマットを足で踏むと、足に付いた水分はまず透水層３に接触し、次に透水層３を通過して珪藻土吸水層１３に素早く吸収され、珪藻土吸水層１３に吸収された水分は徐々に下方向に浸透して止水層１２に達し、このとき外部に向かって水蒸気が緩慢に放出され、ＰＵ骨格板１１上のシンク状空洞部１１１は、止水層１２の水分が外に流れることを効果的に防止できる。Ｖ字型突条１１２の両側に位置する水分は、１または複数の開口溝１１３を経由して相互に浸透流動することができるため、止水層１２の水分が一箇所に集まることを効果的に防止するとともに、水蒸気の放出面積が効果的に増大することで、止水層１２の乾燥速度が加速する。
【００１９】
ゴム防滑層２は、床面と直に接触して防滑作用を発揮する。ＰＵ骨格板１１は、ＰＵ（ポリウレタン）材料で作製され、珪藻土吸水層１３の外側を覆って珪藻土吸水層１３の強度を効果的に高めることができ、外力に加圧されたり軽く曲げられたりしても珪藻土吸水層１３の破損を招くことがない。
【００２０】
本考案に係るＰＵ珪藻土ゴム吸水ソフトマットでは、珪藻土吸水層１３が、ＰＵ骨格板１１により強度を高められ、圧迫されたり曲げられたりした際にも破損しにくくなり、移動と輸送の困難さが軽減される。またＰＵ骨格板１１が、止水層１２の水が外に漏れるのを防止するため、底面が汚れることが効果的に防止されて正常な使用を保証される。さらに、ＰＵ骨格板１１も有機物に属するため、ゴム防滑層２との接着固定後の結合度が大幅に向上し、互いに剥離しにくくなることで、使用寿命が延長される。
【００２１】
最後に説明するが、上記実施形態は本考案の技術手段を説明するためのものに過ぎず、それを限定するものではない。上記実施形態を参照し本考案を詳しく説明したが、当業者には理解されるように、上記各実施形態に記載された技術手段は、修正したり、そのうちの一部の技術的特徴を均等置換したりすることもできる。こうした修正や置換は、対応する技術手段の本質を、本考案の各実施形態における技術手段の精神や範囲から逸脱させるものではない。
【符号の説明】
【００２２】
１  吸着層
２  ゴム防滑層
３  透水層
１１  ＰＵ骨格板
１２  止水層
１３  珪藻土吸水層
２１ 鋸歯状溝
１１１  シンク状空洞部
１１２  Ｖ字型突条
１１３ 開口溝
【図１】
0003234007.tif 000003
【図２】
0003234007.tif 000004